(57)【要約】【課題】映像の表示を自動的に最適な状態に設定することができる表示装置及び表示方法を提供する。【解決手段】表示装置は、マルチストリームで伝送される映像データを取得する取得部と、取得した映像データに基づいて映像を表示する表示部と、映像データの特性に関する特性情報を記憶する記憶部と、取得した映像データを外部の表示機器へ出力する出力部と、取得した各ストリームに含まれる映像データの特性情報が記憶部に記憶した特性情報と一致するか否かを判定する判定部と、判定結果に応じて、各ストリームに含まれる映像データに基づく映像を表示部、又は表示部及び表示機器の両者に表示すべく制御する表示制御部とを備える。【選択図】図１
2015055845.tif 000002
【特許請求の範囲】
【請求項１】
マルチストリームで伝送される映像データを取得する取得部と、
該取得部で取得した映像データに基づいて映像を表示する表示部と、
映像データの特性に関する特性情報を記憶する記憶部と、
前記取得部で取得した映像データを外部の表示機器へ出力する出力部と、
前記取得部で取得した各ストリームに含まれる映像データの特性情報が前記記憶部に記憶した特性情報と一致するか否かを判定する判定部と、
該判定部での判定結果に応じて、前記各ストリームに含まれる映像データに基づく映像を前記表示部、又は該表示部及び前記表示機器の両者に表示すべく制御する表示制御部と
を備えることを特徴とする表示装置。
【請求項２】
前記表示部は、
映像を複数の画面に分割して表示するようにしてあり、
前記表示制御部は、
前記判定部でマルチストリームに含まれる映像データの特性情報が一致すると判定した場合、該マルチストリームに含まれる映像データに基づく映像をストリーム毎に前記表示部の各画面に表示すべく制御するようにしてあることを特徴とする請求項１に記載の表示装置。
【請求項３】
前記表示制御部は、
前記マルチストリームの数が前記表示部の分割した画面の数を超える場合、超えたストリームに含まれる映像データに基づく映像を前記表示機器に表示すべく制御するようにしてあることを特徴とする請求項２に記載の表示装置。
【請求項４】
前記表示制御部は、
前記判定部でマルチストリームに含まれる映像データの特性情報が一致しないと判定した場合、該マルチストリームのうちの一のストリームに含まれる映像データに基づく映像を前記表示部に表示すべく制御するようにしてあることを特徴とする請求項１から請求項３までのいずれか１項に記載の表示装置。
【請求項５】
前記表示制御部は、
前記マルチストリームのうちの前記一のストリームを除く他のストリームに含まれる映像データに基づく映像を前記表示機器に表示すべく制御するようにしてあることを特徴とする請求項４に記載の表示装置。
【請求項６】
前記記憶部は、
前記特性情報として解像度を記憶してあることを特徴とする請求項１から請求項５までのいずれか１項に記載の表示装置。
【請求項７】
映像データの特性に関する特性情報を記憶部に記憶しておき、
マルチストリームで伝送される映像データを取得するステップと、
取得された映像データに基づいて映像を表示部に表示するステップと、
取得された映像データを外部の表示機器へ出力するステップと、
取得された各ストリームに含まれる映像データの特性情報が前記記憶部に記憶した特性情報と一致するか否かを判定するステップと、
該判定するステップでの判定結果に応じて、前記各ストリームに含まれる映像データに基づく映像を前記表示部、又は該表示部及び前記表示機器の両者に表示すべく制御するステップと
を含むことを特徴とする表示方法。
【発明の詳細な説明】
【技術分野】
【０００１】
本発明は、マルチストリームで伝送される映像データに基づく映像を表示する表示装置及び表示方法に関する。
【背景技術】
【０００２】
液晶ディスプレイのインタフェースは、接続する機器の違いによって、ＰＣ（パーソナルコンピュータ）入力用及びＡＶ（Audio／Visual）入力用などがある。ＰＣ入力用は、アナログ接続のＤ−Ｓｕｂ、アナログとデジタルの両方に対応したＤＶＩ−Ｉ、デジタル接続のＤＶＩ−Ｄなどがあり、ＡＶ入力用として映像機器等のデジタル家電に対応したＨＤＭＩ（登録商標）、さらには、ＰＣ入力用及びＡＶ入力用として、ＤｉｓｐｌａｙＰｏｒｔがある。ＤｉｓｐｌａｙＰｏｒｔは、液晶ディスプレイなどのデジタル・ディスプレイ装置の為に設計された映像出力インタフェースの規格である。
【０００３】
最新規格のＤｉｓｐｌａｙＰｏｒｔ  Ｖｅｒｓｉｏｎ１．２では、ＭＳＴ（Ｍｕｌｔｉ−Ｓｔｒｅａｍ  Ｔｒａｎｓｐｏｒｔ：マルチストリーム・トランスポート）がサポートされており、１本のケーブルを用いてマルチストリームで伝送される映像データに基づく映像を複数の表示機器で表示することが可能である。また、マルチストリームに対応した装置として、複数個のトランスポートストリームを複数個の受信装置で受信して表示することができる技術が開示されている（特許文献１参照）。
【０００４】
マルチストリームで伝送される映像データを用いて、例えば、表示装置の表示画面を２分割してそれぞれの分割画面に各ストリームの映像データに基づく映像を表示させることにより、映像の解像度を２倍にして表示させることができる。また、表示装置に映像データを出力するためのコネクタを設け、他の表示機器で表示させることもできる。
【先行技術文献】
【特許文献】
【０００５】
【特許文献１】特開２００８−１７２３９１号公報
【発明の概要】
【発明が解決しようとする課題】
【０００６】
しかしながら、従来の技術の場合、表示装置の表示画面を２分割して映像を表示させるか、外部の表示機器も用いて映像を表示させるかの設定は、それぞれの表示装置及び表示機器並びに映像データを送出するソース機器（例えば、パーソナルコンピュータ）において手動で行う必要があり、設定操作が煩雑であり利便性の向上が望まれている。
【０００７】
本発明は斯かる事情に鑑みてなされたものであり、映像の表示を自動的に最適な状態に設定することができる表示装置及び表示方法を提供することを目的とする。
【課題を解決するための手段】
【０００８】
本発明に係る表示装置は、マルチストリームで伝送される映像データを取得する取得部と、該取得部で取得した映像データに基づいて映像を表示する表示部と、映像データの特性に関する特性情報を記憶する記憶部と、前記取得部で取得した映像データを外部の表示機器へ出力する出力部と、前記取得部で取得した各ストリームに含まれる映像データの特性情報が前記記憶部に記憶した特性情報と一致するか否かを判定する判定部と、該判定部での判定結果に応じて、前記各ストリームに含まれる映像データに基づく映像を前記表示部、又は該表示部及び前記表示機器の両者に表示すべく制御する表示制御部とを備えることを特徴とする。
【０００９】
本発明に係る表示装置は、前記表示部は、映像を複数の画面に分割して表示するようにしてあり、前記表示制御部は、前記判定部でマルチストリームに含まれる映像データの特性情報が一致すると判定した場合、該マルチストリームに含まれる映像データに基づく映像をストリーム毎に前記表示部の各画面に表示すべく制御するようにしてあることを特徴とする。
【００１０】
本発明に係る表示装置は、前記表示制御部は、前記マルチストリームの数が前記表示部の分割した画面の数を超える場合、超えたストリームに含まれる映像データに基づく映像を前記表示機器に表示すべく制御するようにしてあることを特徴とする。
【００１１】
本発明に係る表示装置は、前記表示制御部は、前記判定部でマルチストリームに含まれる映像データの特性情報が一致しないと判定した場合、該マルチストリームのうちの一のストリームに含まれる映像データに基づく映像を前記表示部に表示すべく制御するようにしてあることを特徴とする。
【００１２】
本発明に係る表示装置は、前記表示制御部は、前記マルチストリームのうちの前記一のストリームを除く他のストリームに含まれる映像データに基づく映像を前記表示機器に表示すべく制御するようにしてあることを特徴とする。
【００１３】
本発明に係る表示装置は、前記記憶部は、前記特性情報として解像度を記憶してあることを特徴とする。
【００１４】
本発明に係る表示方法は、映像データの特性に関する特性情報を記憶部に記憶しておき、マルチストリームで伝送される映像データを取得するステップと、取得された映像データに基づいて映像を表示部に表示するステップと、取得された映像データを外部の表示機器へ出力するステップと、取得された各ストリームに含まれる映像データの特性情報が前記記憶部に記憶した特性情報と一致するか否かを判定するステップと、該判定するステップでの判定結果に応じて、前記各ストリームに含まれる映像データに基づく映像を前記表示部、又は該表示部及び前記表示機器の両者に表示すべく制御するステップとを含むことを特徴とする。
【発明の効果】
【００１５】
本発明によれば、映像の表示を自動的に最適な状態に設定することができる。
【図面の簡単な説明】
【００１６】
【図１】本実施の形態の表示装置の構成の一例を示すブロック図である。
【図２】マルチストリームで伝送される信号の一例を示す模式図である。
【図３】記憶部に記憶した特性情報の一例を示す説明図である。
【図４】本実施の形態の表示装置による表示の第１実施例を示す説明図である。
【図５】本実施の形態の表示装置による表示の第２実施例を示す説明図である。
【図６】本実施の形態の表示装置による表示先判定の処理の一例を示すフローチャートである。
【発明を実施するための形態】
【００１７】
以下、本発明を実施の形態を示す図面に基づいて説明する。図１は本実施の形態の表示装置１００の構成の一例を示すブロック図である。本実施の形態の表示装置１００は、表示装置１００全体を制御する制御部１０、液晶ディスプレイなどの表示部１４、表示駆動部１５、１６、信号入力部１７、信号出力部１８、記憶部１９などを備える。また、制御部１０は、入出力信号処理部１１、出力信号処理部１２、表示先判定部１３などを備える。
【００１８】
表示装置１００には、パーソナルコンピュータ２００（以下、「ＰＣ」と記す）などのソース機器が接続されている。ＰＣ２００は、ＤｉｓｐｌａｙＰｏｒｔ  Ｖｅｒｓｉｏｎ１．２に対応した機器であり、１個の信号出力部からマルチストリームで伝送される信号を出力することができる。なお、ＰＣ２００は、複数個の信号出力部を備える構成でもよい。
【００１９】
また、表示装置１００には、１又は複数の外部の表示機器３００が接続されている。表示機器３００は、表示装置１００と同様の構成を有する。
【００２０】
信号入力部１７は、取得部としての機能を有し、ＰＣ２００から出力され、マルチストリームで伝送される信号（入力信号）を取得する。すなわち、信号入力部１７は、ＤｉｓｐｌａｙＰｏｒｔ  Ｖｅｒｓｉｏｎ１．２に対応したＭＳＴ（Ｍｕｌｔｉ−Ｓｔｒｅａｍ  Ｔｒａｎｓｐｏｒｔ）信号を取得することができる。
【００２１】
図２はマルチストリームで伝送される信号の一例を示す模式図である。ＤｉｓｐｌａｙＰｏｒｔ  Ｖｅｒｓｉｏｎ１．２では、ＭＳＴ（Ｍｕｌｔｉ−Ｓｔｒｅａｍ  Ｔｒａｎｓｐｏｒｔ：マルチストリーム・トランスポート）がサポートされている。図２に示すように、マルチストリームでは、例えば、映像の解像度、フレームレート（周波数）、映像データ、音声データ、ＡＵＸチャネルデータなどを１つのストリームの番号（例えば、ストリームＩＤ、アドレスなど）に割り当てたパケットを生成し、それぞれのストリームで映像データなどを含む信号を伝送する。なお、図２の例は、データ形式を模式的に示すものであり、実際の信号とは異なる場合もある。
【００２２】
信号出力部１８は、出力部としての機能を有し、制御部１０の制御の下、信号入力部１７で取得した映像データなどを含む入力信号を表示機器３００へ出力する。すなわち、信号出力部１８は、ＤｉｓｐｌａｙＰｏｒｔ  Ｖｅｒｓｉｏｎ１．２に対応したＭＳＴ（Ｍｕｌｔｉ−Ｓｔｒｅａｍ  Ｔｒａｎｓｐｏｒｔ）信号を出力することができる。また、信号出力部１８は、出力先の表示機器３００が接続されているか否かを検知することができる。
【００２３】
表示部１４は、信号入力部１７で取得した映像データに基づいて映像を表示する。表示部１４は、例えば、２つの表示駆動部１５、１６により駆動される。より具体的には、表示部１４は、映像を複数の画面に分割して表示するようにしてある。図１の例では、表示部１４は、画面Ａ、画面Ｂの２つに分割することができるようにしてある。そして、表示駆動部１５は、画面Ａで映像を表示させるため表示部１４を駆動し、表示駆動部１６は表示駆動部１５とは独立に、画面Ｂで映像を表示させるため表示部１４を駆動する。
【００２４】
記憶部１９は、映像データの特性に関する特性情報を記憶する。特性情報は、例えば、映像の解像度、周波数（フレームレート）などを含む。すなわち、記憶部１９には、表示部１４を複数の画面に分割した場合に各分割画面に表示させることができる映像の解像度及び周波数を特性情報として記憶する。
【００２５】
図３は記憶部１９に記憶した特性情報の一例を示す説明図である。図３に示すように、記憶部１９には、分割された各画面に表示させることができる映像の解像度及び周波数を特性情報として記憶することができる。例えば、図３に示すように、記憶部１９に特性情報として、１９２０×２１６０、６０Ｈｚが記憶されている。この意味は、表示駆動部１５が表示部１４を駆動して表示部１４の一の画面Ａに１９２０×２１６０、６０Ｈｚの映像を表示させ、他の画面Ｂに１９２０×２１６０、６０Ｈｚの映像を表示させることができ、表示部１４の画面全体としては、解像度が２倍となる、３８４０×２１６０、６０Ｈｚの映像を表示することができるということである。１９２０×２１６０、５０Ｈｚなどの他の特性情報についても同様である。
【００２６】
入力信号処理部１１は、信号入力部１７で取得した入力信号から映像データ、音声データ、ＡＵＸチャネルデータなどをデコードして、後段の表示処理のための前段処理を行う。
【００２７】
表示先判定部１３は、判定部としての機能を有し、取得した各ストリームに含まれる映像データの特性情報が記憶部１９に記憶した特性情報と一致するか否かを判定する。記憶部１９に記憶した特性情報が、例えば、１９２０×２１６０、６０Ｈｚである場合、マルチストリームの各ストリームに含まれる映像データ（映像）の解像度及び周波数が１９２０×２１６０、６０Ｈｚであるときは、特性情報が一致すると判定する。
【００２８】
また、表示先判定部１３は、表示制御部としての機能を有し、表示先判定部１３での判定結果に応じて、各ストリームに含まれる映像データに基づく映像を表示部１４、又は表示部１４及び表示機器３００の両者に表示すべく制御する。すなわち、表示先判定部１３は、入力された映像データ（映像）の解像度と、記憶部１９に記憶している解像度とが一致するか否かを判定する。そして、記憶部１９に記憶した解像度と一致する場合、すなわち表示装置１００での内部表示のみを行う解像度と一致する場合、表示部１４の画面Ａ及び画面Ｂでの内部表示のための表示処理を行う。また、表示先判定部１３は、記憶部１９に記憶した解像度と一致しない場合、表示部１４による内部表示と表示機器３００による外部表示とを同時に行うべく表示先を切り替える。
【００２９】
出力信号処理部１２は、表示先判定部１３の処理に応じて、信号出力部１８へ入力信号を送出する。
【００３０】
上述のように、各ストリームに含まれる映像データの特性情報と予め記憶した特性情報の一致又は不一致に応じて、表示装置１００の表示部１４に映像を表示させるか（内部表示のみを行うか）、あるいは外部の表示機器３００をも用いて映像を表示させるか（内部表示と外部表示とを同時に行うか）を自動的に設定することができるので、手動による表示設定を行う必要が無く、自動的に映像の表示を最適な状態にすることができる。
【００３１】
次に、内部表示のみを行う場合、すなわち表示装置１００の表示部１４に映像を表示させる場合と、内部表示及び外部表示を同時に行う場合、すなわち、表示装置１００の表示部１４及び外部の表示機器３００に映像を同時に表示させる場合について説明する。
【００３２】
図４は本実施の形態の表示装置１００による表示の第１実施例を示す説明図である。図４では表示装置１００による内部表示の例を示す。図４に示すように、ＰＣ２００からの入力信号が、２つのストリーム（ストリーム１、２）でそれぞれ１９２０×２１６０＠６０Ｈｚの解像度及び周波数の映像データを含むとする。図３で例示したように、１９２０×２１６０＠６０Ｈｚの解像度及び周波数は、記憶部１９に記憶した解像度及び周波数と一致するので、表示装置１００は、２つのストリーム（ストリーム１、２）で伝送された映像データに基づく映像それぞれを、表示部１４の画面Ａ及び画面Ｂに表示する。これにより、表示部１４の画面全体としては、入力された映像の解像度の２倍の解像度で表示することができる。このように、マルチストリームで伝送される映像データが、表示部１４の分割された画面に表示することができる場合、分割された各画面にストリーム毎の映像を表示させるように自動的に設定することができる。
【００３３】
図４の例では、マルチストリームのストリーム数が２であったが、ストリーム数は２に限定されるものではなく、３以上であってもよい。
【００３４】
例えば、表示先判定部１３は、マルチストリームの数が表示部１４の分割した画面の数を超える場合、超えたストリームに含まれる映像データに基づく映像を外部の表示機器３００に表示すべく制御する。例えば、図４のように、表示部１４の分割した画面の数を２とした場合に、マルチストリームのストリームの数が３以上であるときには、２つのストリームに含まれるそれぞれの映像データは、表示部１４の２つの画面にそれぞれ内部表示され、残りの３つ目以上のストリームに含まれる映像データは、１又は複数の外部の表示機器３００で外部表示するように自動的に設定することができる。
【００３５】
図５は本実施の形態の表示装置１００による表示の第２実施例を示す説明図である。図５では表示装置１００による内部表示及び外部表示の例を示す。図５に示すように、ＰＣ２００からの入力信号が、２つのストリーム（ストリーム１、２）でそれぞれ３８４０×２１６０＠３０Ｈｚの解像度及び周波数の映像データを含むとする。図３で例示したように、３８４０×２１６０＠３０Ｈｚの解像度及び周波数は、記憶部１９に記憶した解像度及び周波数と一致しない。
【００３６】
記憶部１９に記憶した分割表示可能な解像度及び周波数は、表示装置１００の表示部１４を、例えば、２分割し個別に表示制御を行うことにより、表示部１４全体で解像度を向上させるものであり、記憶部１９に記憶した解像度及び周波数は、表示部１４の画面を分割して表示することができるＭＳＴ表示可能な特性情報を記憶しているものであり、例えば、ディスプレイ画面特有の表示の限界値を示す解像度及び周波数とは異なるものである。そのため、図５に示すように、記憶部１９に記憶した解像度及び周波数と異なる解像度及び周波数の映像データが入力された場合でも、表示部１４に表示させることは可能である。
【００３７】
すなわち、表示先判定部１３は、マルチストリームに含まれる映像データの特性情報が一致しないと判定した場合、マルチストリームのうちの一のストリームに含まれる映像データに基づく映像を表示部１４に表示すべく制御する。
【００３８】
図５の例では、記憶部１９に記憶した特性情報が、１９２０×２１６０、６０Ｈｚであり、表示部１４は映像を２つの画面に分割して表示させることができるとする。マルチストリームに含まれる映像データの特性情報が、図５のように、３８４０×２１６０、３０Ｈｚであるとすると、特性情報が一致しない。そこで、マルチストリームのうちの一のストリームに含まれる映像データに基づく映像を、表示部１４で画面を分割して表示させるのではなく、表示部１４全体を１つの画面として表示させる。これにより、表示部１４で画面を分割して表示させることができない映像データを取得した場合でも、マルチストリームのうちの一のストリームに含まれる映像データに基づく映像を表示するように自動的に設定することができる。
【００３９】
また、表示先判定部１３は、マルチストリームのうちの一のストリームを除く他のストリームに含まれる映像データに基づく映像を表示機器３００に表示すべく制御する。図５の例では、２つのストリーム（ストリーム１、２）のうち、ストリーム１（主ストリーム）に含まれる映像データに基づく映像を表示装置１００の表示部１４で表示させ、残りのストリーム２を表示機器３００へ送出する。これにより、表示部１４で画面を分割して表示させることができない映像データを取得した場合でも、マルチストリームのうちの他のストリームに含まれる映像データに基づく映像を外部の表示機器３００で表示するように自動的に設定することができる。
【００４０】
上述の例では、記憶部１９に記憶していない解像度の例として記憶部１９に記憶した解像度よりも大きい解像度を挙げたが、これに限定されるものではなく、記憶部１９に記憶した解像度よりも小さい解像度の場合も同様である。
【００４１】
図６は本実施の形態の表示装置１００による表示先判定の処理の一例を示すフローチャートである。以下の説明では便宜上、処理の主体を制御部１０とする。制御部１０は、入力信号を取得し（Ｓ１１）、マルチストリームのストリーム数を検出する（Ｓ１２）。制御部１０は、ストリーム数が１であるか否かを判定し（Ｓ１３）、ストリーム数が１である場合（Ｓ１３でＹＥＳ）、当該ストリームの映像を表示部１４の表示画面全体で表示させ（Ｓ１４）、処理を終了する。
【００４２】
ストリーム数が１でない場合（Ｓ１３でＮＯ）、制御部１０は、各ストリームの映像データの解像度を検出し（Ｓ１５）、検出した解像度と記憶部１９に記憶した解像度が一致するか否かを判定する（Ｓ１６）。なお、解像度だけでなく、映像の周波数が一致するか否かを判定することもできる。
【００４３】
解像度が一致しない場合（Ｓ１６でＮＯ）、制御部１０は、主ストリームの映像を表示部１４の表示画面全体で表示させ、残りのストリームの映像データを外部の表示機器３００へ出力し（Ｓ１７）、処理を終了する。
【００４４】
解像度が一致した場合（Ｓ１６でＹＥＳ）、制御部１０は、ストリーム数が２であるか否かを判定する（Ｓ１８）。ストリーム数が２である場合（Ｓ１８でＹＥＳ）、制御部１０は、各ストリームの映像を表示部１４の画面Ａ及び画面Ｂそれぞれに分割表示させ（Ｓ１９）、処理を終了する。ステップＳ１９では内部表示のみが行われる。
【００４５】
ストリーム数が２でない場合（Ｓ１８でＮＯ）、すなわち、ストリーム数が３以上である場合、制御部１０は、２つのストリームの映像を表示部１４の画面Ａ及び画面Ｂそれぞれに分割表示させ、残りのストリームの映像データを外部の表示機器３００へ出力し（Ｓ２０）、処理を終了する。ステップＳ２０の処理を行うことにより内部表示及び外部表示の両方が同時に行われる。
【００４６】
上述のように、映像の解像度に基づいて、表示装置１００の表示部１４に映像を表示させるか、あるいは外部の表示機器３００をも用いて映像を表示させるかを自動的に設定することができる。
【００４７】
本実施の形態の表示装置（１００）は、マルチストリームで伝送される映像データを取得する取得部（１７）と、該取得部で取得した映像データに基づいて映像を表示する表示部（１４）と、映像データの特性に関する特性情報を記憶する記憶部（１９）と、前記取得部で取得した映像データを外部の表示機器へ出力する出力部（１８）と、前記取得部で取得した各ストリームに含まれる映像データの特性情報が前記記憶部に記憶した特性情報と一致するか否かを判定する判定部（１３）と、該判定部での判定結果に応じて、前記各ストリームに含まれる映像データに基づく映像を前記表示部、又は該表示部及び前記表示機器（３００）の両者に表示すべく制御する表示制御部（１３）とを備えることを特徴とする。
【００４８】
本実施の形態の表示方法は、映像データの特性に関する特性情報を記憶部（１９）に記憶しておき、マルチストリームで伝送される映像データを取得するステップと、取得された映像データに基づいて映像を表示部（１４）に表示するステップと、取得された映像データを外部の表示機器（３００）へ出力するステップと、取得された各ストリームに含まれる映像データの特性情報が前記記憶部に記憶した特性情報と一致するか否かを判定するステップと、該判定するステップでの判定結果に応じて、前記各ストリームに含まれる映像データに基づく映像を前記表示部、又は該表示部及び前記表示機器の両者に表示すべく制御するステップとを含むことを特徴とする。
【００４９】
本実施の形態にあっては、取得部（１７）は、マルチストリームで伝送される映像データを取得する。マルチストリームとは、例えば、ＤｉｓｐｌａｙＰｏｒｔ  Ｖｅｒｓｉｏｎ１．２でサポートされているＭＳＴ（Ｍｕｌｔｉ−Ｓｔｒｅａｍ  Ｔｒａｎｓｐｏｒｔ：マルチストリーム・トランスポート）によるデータの伝送形式であり、映像データ及び音声データなどを表示装置（ディスプレイ）毎に異なるアドレスを割り当てたパケットを生成し、それぞれのストリームで伝送するものである。表示部（１４）は、取得した映像データに基づいて映像を表示する。出力部（１８）は、取得した映像データを外部の表示機器（３００）へ出力する。
【００５０】
記憶部（１９）は、映像データの特性に関する特性情報を記憶する。特性情報は、例えば、映像の解像度、周波数（フレームレート）などを含む。例えば、記憶部には、表示部を複数の画面に分割した場合に各分割画面に表示させることができる映像の解像度及び周波数を特性情報として記憶する。
【００５１】
判定部（１３）は、取得した各ストリームに含まれる映像データの特性情報が記憶部に記憶した特性情報と一致するか否かを判定する。記憶部に記憶した特性情報が、例えば、１９２０×２１６０、６０Ｈｚである場合、マルチストリームの各ストリームに含まれる映像データ（映像）の解像度及び周波数が１９２０×２１６０、６０Ｈｚであるときは、特性情報が一致すると判定する。
【００５２】
表示制御部（１３）は、判定部での判定結果に応じて、各ストリームに含まれる映像データに基づく映像を表示部、又は表示部及び表示機器の両者に表示すべく制御する。上述のように、各ストリームに含まれる映像データの特性情報と予め記憶した特性情報の一致又は不一致に応じて、表示装置の表示部に映像を表示させるか、あるいは外部の表示機器も用いて映像を表示させるかを自動的に設定することができるので、手動による表示設定を行う必要が無く、自動的に映像の表示を最適な状態にすることができる。
【００５３】
本実施の形態の表示装置は、前記表示部（１４）は、映像を複数の画面に分割して表示するようにしてあり、前記表示制御部（１３）は、前記判定部（１３）でマルチストリームに含まれる映像データの特性情報が一致すると判定した場合、該マルチストリームに含まれる映像データに基づく映像をストリーム毎に前記表示部の各画面に表示すべく制御するようにしてあることを特徴とする。
【００５４】
本実施の形態にあっては、表示部（１４）は、映像を複数の画面に分割して表示するようにしてある。この場合、記憶部（１９）には、分割された各画面に表示させることができる映像の解像度及び周波数を特性情報として記憶することができる。表示制御部（１３）は、判定部（１３）でマルチストリームに含まれる映像データの特性情報が一致すると判定した場合、マルチストリームに含まれる映像データに基づく映像をストリーム毎に表示部の各画面に表示すべく制御する。
【００５５】
例えば、記憶部（１９）に記憶した特性情報が、１９２０×２１６０、６０Ｈｚであり、表示部（１４）は映像を２つの画面に分割して表示させるようにしてある場合、表示部は、一の画面に１９２０×２１６０、６０Ｈｚの映像を表示させ、他の画面に１９２０×２１６０、６０Ｈｚの映像を表示させることができ、表示部の画面全体としては、解像度が２倍となる、３８４０×２１６０、６０Ｈｚの映像を表示することができる。これにより、マルチストリームで伝送される映像データが、表示部の分割された画面に表示することができる場合、分割された各画面にストリーム毎の映像を表示させるように自動的に設定することができる。
【００５６】
本実施の形態の表示装置は、前記表示制御部（１３）は、前記マルチストリームの数が前記表示部（１４）の分割した画面の数を超える場合、超えたストリームに含まれる映像データに基づく映像を前記表示機器（３００）に表示すべく制御するようにしてあることを特徴とする。
【００５７】
本実施の形態にあっては、表示制御部（１３）は、マルチストリームの数が表示部（１４）の分割した画面の数を超える場合、超えたストリームに含まれる映像データに基づく映像を外部の表示機器に表示すべく制御する。例えば、表示部の分割した画面の数を２とし、マルチストリームのストリームの数を３とすると、２つのストリームに含まれるそれぞれの映像データは、表示部の２つの画面にそれぞれ表示され、残りの３つ目のストリームに含まれる映像データは、外部の表示機器（３００）で表示するように自動的に設定することができる。
【００５８】
本実施の形態の表示装置は、前記表示制御部（１３）は、前記判定部（１３）でマルチストリームに含まれる映像データの特性情報が一致しないと判定した場合、該マルチストリームのうちの一のストリームに含まれる映像データに基づく映像を前記表示部（１４）に表示すべく制御するようにしてあることを特徴とする。
【００５９】
本実施の形態にあっては、表示制御部（１３）は、判定部（１３）でマルチストリームに含まれる映像データの特性情報が一致しないと判定した場合、マルチストリームのうちの一のストリームに含まれる映像データに基づく映像を表示部（１４）に表示すべく制御する。
【００６０】
例えば、記憶部（１９）に記憶した特性情報が、１９２０×２１６０、６０Ｈｚであり、表示部（１４）は映像を２つの画面に分割して表示させることができるとする。そして、例えば、マルチストリームに含まれる映像データの特性情報が、３８４０×２１６０、３０Ｈｚであるとすると、特性情報が一致しない。そこで、マルチストリームのうちの一のストリームに含まれる映像データに基づく映像を、表示部で画面を分割して表示させるのではなく、表示部全体を１つの画面として表示させる。これにより、表示部で画面を分割して表示させることができない映像データを取得した場合でも、マルチストリームのうちの一のストリームに含まれる映像データに基づく映像を表示するように自動的に設定することができる。
【００６１】
本実施の形態の表示装置は、前記表示制御部（１３）は、前記マルチストリームのうちの前記一のストリームを除く他のストリームに含まれる映像データに基づく映像を前記表示機器（３００）に表示すべく制御するようにしてあることを特徴とする。
【００６２】
本実施の形態にあっては、表示制御部（１３）は、マルチストリームのうちの一のストリームを除く他のストリームに含まれる映像データに基づく映像を表示機器（３００）に表示すべく制御する。これにより、表示部（１４）で画面を分割して表示させることができない映像データを取得した場合でも、マルチストリームのうちの他のストリームに含まれる映像データに基づく映像を外部の表示機器で表示するように自動的に設定することができる。
【００６３】
本実施の形態の表示装置は、前記記憶部（１９）は、前記特性情報として解像度を記憶してあることを特徴とする。
【００６４】
本実施の形態にあっては、映像の解像度に基づいて、表示装置の表示部に映像を表示させるか、あるいは外部の表示機器も用いて映像を表示させるかを自動的に設定することができる。
【符号の説明】
【００６５】
１００  表示装置
１０  制御部
１１  入力信号処理部
１２  出力信号処理部
１３  表示先判定部
１４  表示部
１５、１６  表示駆動部
１７  信号入力部
１８  信号出力部
１９  記憶部
２００  ＰＣ
３００  表示機器
【図１】
2015055845.tif 000003
【図２】
2015055845.tif 000004
【図３】
2015055845.tif 000005
【図４】
2015055845.tif 000006
【図５】
2015055845.tif 000007
【図６】
2015055845.tif 000008